(57)【特許請求の範囲】
【請求項１】
フィルタシートの取付けに用いられ、一枚のシートの打ち抜きによって形成される枠体であって、
外枠と、
前記外枠の内方に形成され、前記外枠に接続部を介して接続される内枠とを備え、
前記内枠を前記接続部を介して折り返した時、前記折り返された前記内枠の一部は前記外枠の外周縁より外方に位置する、枠体。
【請求項２】
前記外枠は、矩形リング形状を有し、
前記内枠は前記外枠の内周の一辺から内方に向って接続され、前記外枠の内周の他の三辺にその外周縁が接するコ字形状を有する、請求項１記載の枠体。
【請求項３】
前記外枠の対向する２辺の各々の中央を掛け渡す連結部が形成され、
前記内枠は同一形状で二つ形成され、各々は前記外枠の他の対向する二辺の各々から前記連結部に向って接続され、前記連結部の側縁にその外周縁の一辺が接する、請求項２記載の枠体。
【請求項４】
請求項１から請求項３の何れかに記載された枠体と、
前記枠体が取付けられ、前記内枠が折り返された時、前記内枠の折り返し方向の外周縁の近傍にその外周縁が位置する可撓性のフィルタシートとを備えた、フィルタ。
【発明の詳細な説明】
【０００１】
【発明の属する技術分野】
この発明は枠体及びそれを用いたフィルタに関し、特に、レンジフード等に取付けられるフィルタシートの固定に用いられる枠体及びこれを用いたフィルタに関するものである。
【０００２】
【従来の技術】
レンジフードの油汚れを防止する為、矩形シート状のフィルタが、例えば両面ファスナや磁石等を用いて着脱自在に取付けられている。
そして、レンジフードの使用によってそのフィルタが汚れると、新しいフィルタに取り替えられるものである。
【０００３】
【発明が解決しようとする課題】
上記のようなフィルタでは、レンジフードの取付け面が広い為、フィルタの周辺部のみを固定すると中央部が垂れてしまったりして安定して取付けることが難しい。そこで、アルミ箔の成形体にフィルタシートを貼着したフィルタも提案されている。このフィルタによれば、フィルタ全体の保形性という点では優れているが、使用後使い捨てられることを考えるとコスト的に不利である。
【０００４】
そこで、アルミ箔に変えて安価な紙製のものを枠体としてフィルタシートを押えることも考えられるが、フィルタシートが大きい為、枠体も大きくなってしまい、やはりコスト的に有利なものとは言えない。
この発明は上記のような課題を解決する為になされたもので、フィルタシートに対して形成される枠体の大きさが小さくてすみ、使用時においては広範囲にフィルタシートを押えることができる枠体及びこれを用いたフィルタを提供することを目的とする。
【０００５】
【課題を解決するための手段】
上記の目的を達成する為に、請求項１記載の発明は、フィルタシートの取付けに用いられ、１枚のシートの打ち抜きによって形成される枠体であって、外枠と、外枠の内方に形成され、外枠に接続部を介して接続される内枠とを備え、内枠を接続部を介して折り返した時、折り返された内枠の一部は外枠の外周縁より外方に位置するものである。
【０００６】
以上のように構成すると、内枠を折り返すと、外枠の外周縁より定まる形状より大きな形状の枠体となる。
請求項２記載の発明は、請求項１記載の発明の構成において、外枠は矩形リング形状を有し、内枠は外枠の内周の一辺から内方に向って接続され、外枠の内周の他の三辺にその外周縁が接するコの字形状を有するものである。
【０００７】
以上のように構成すると、外枠の大きさに内枠の大きさが最大限近づくものである。
請求項３記載の発明は、請求項２記載の発明の構成において、外枠の対向する２辺の各々の中央部を掛け渡す連結部が形成され、内枠は同一形状で二つ形成され、その各々は外枠の他の対向する二辺の各々から連結部に向って接続され、連結部の側縁にその外周縁の一辺が接するものである。
【０００８】
以上のように構成すると、連結部によって外枠の保形力が安定する。
請求項４記載の発明は、請求項１から請求項３のいずれかに記載された枠体と、枠体が取付けられ、内枠が折り返された時、内枠の折り返し方向の外周縁の近傍にその外周縁が位置する可撓性のフィルタシートとを備えたものである。
以上のように構成すると、フィルタは可撓性を有している為、使用前には内枠を折り返す前の枠体の大きさに応じてフィルタ全体を小さく畳むことができる。
【０００９】
【発明の効果】
以上説明したように、請求項１記載の発明は、内枠を折り返すと、より大きな形状の枠体となるので、枠体自身を小さく形成することが可能となり、枠体の形成の為の素材の使用量を効率的に低減することができる。
請求項２記載の発明は、請求項１記載の発明の効果に加えて、外枠の大きさに内枠の大きさが最大限に近づくので、内枠を折り返した時、枠体全体の大きさをより拡張することができる。
【００１０】
請求項３記載の発明は、請求項２記載の発明の効果に加えて、連結部によって外枠の保形力が安定するので、内枠を折り返して使用した時、フィルタシートを外枠及び内枠ともに、より安定して保持することができる。
請求項４記載の発明は、使用前はフィルタ全体を小さく畳むことができるので、搬送、販売時等には全体容積をコンパクトにすることが可能となる。
【００１１】
【発明の実施の形態】
図１は、この発明の第１の実施の形態によるフィルタの外観形状を示した斜視図である。
フィルタ１０は矩形シート状の不織布等からなるフィルタシート２１と、フィルタシート２１の中央部からやや偏心した位置に取付けられ、外縁が矩形形状のシート状の枠体１１とから構成される。枠体１１は、例えば紙製のものや紙の両面にアルミ箔を貼着したものが用いられる。なお枠体１１はフィルタシート２１に接着固定されているが、これに代えて、枠体１１のフィルタシート２１側の面に面ファスナを張り付けておき、この面ファスナによってフィルタシート２１に取付けるようにしてもよい。
【００１２】
枠体１１は矩形リング形状の外枠１２と、外枠１２の内方に形成される内枠１３ａ及び内枠１３ｂとから構成される。外枠１２には、匚の字形状の第１の開口１５ａとコの字形状の切れ目１４ｂが形成され、この切れ目１４ａ及び切れ目１４ｂによって内枠１３ａ及び内枠１３ｂの外縁が形成されている。又、この切れ目１４ａ及び切れ目１４ｂによって、外枠１２の長手方向の対向辺を掛け渡すように接続する連結部２０が形成される。また内枠１３ａは、外枠１２の横手方向の一辺から接続部２２ａ，接続部２２ｂを介して連結部２０に向って外枠１２に接続されることになる。同様に内枠１３ｂは、外枠１２の横手方向の他の一辺から連結部２０に向って接続部２３ａ，接続部２３ｂを介して外枠１２に対して接続されることになる。
【００１３】
内枠１３ａには、その内方に矩形形状の第１の開口１５ａ及び第２の開口１６ａが形成されている。尚第１の開口１５ａと第２の開口１６ａとの間の部分には、後述する取付け用金具を取付ける為の切欠き１７ａが形成されている。また、第２の開口１６ａと連結部２０との間の部分にも、取付け用金具を取付ける為の切欠き１８ａが形成されている。さらに、内枠１３ａの上面には、面ファスナを貼着する為の位置を示す位置表示部１９が４箇所形成されている。
【００１４】
同様に、内枠１３ｂにも、第１の開口１５ｂ及び第２の開口１６ｂが形成され、又取付け用金具の為の切欠き１７ｂ及び切欠き１８ｂが形成され、さらにその上面に面ファスナの貼着用の位置表示部１９が４箇所形成されている。
このように枠体１１は一枚の矩形シートを打ち抜くことによって、外枠１２及び内枠１３ａ，内枠１３ｂを一度に形成することができる。尚内枠１３ａ，内枠１３ｂの外周縁は切れ目１４ａ，切れ目１４ｂによって形成されているが、これは必ずしも切れ目でなくてもよく、隙間のある切欠を打ち抜くことによって内枠１３ａ，内枠１３ｂを形成してもよい。
【００１５】
図２は、図１の状態から、内枠１３ａ，内枠１３ｂを接続部２２ａ，接続部２２ｂ及び接続部２３ａ，接続部２３ｂの位置で外方に折り返した状態を示した斜視図である。
図を参照して、内枠１３ａ，内枠１３ｂを折り返すことによって、枠体１１の長手方向の大きさが拡大する。すなわち、図１のように内枠１３ａ，内枠１３ｂを折り返す前においては、枠体１１の長手方向の長さは、外枠１２の外周縁によって決まりその長さはＷ1 となる。ところが内枠１３ａ，内枠１３ｂを折り返すことによって、枠体１１の長手方向長さはＷ2 となって拡大する。これによって、フィルタシート２１の長手方向の略全範囲まで枠体１１によって押えることが可能となる。即ち図２の状態においては、枠体１１の外周縁は、外枠１２の外周縁と折り返された内枠１３ａ，内枠１３ｂの外周縁とを重ね合わされた形状に変化することになる。尚内枠１３ａ，内枠１３ｂの各々に第１の開口１５ａ，第２の開口１６ａ及び第１の開口１５ｂ，第２の開口１６ｂが形成されている為、折り返した状態においても、フィルタシート２１の通過面積を確保することができ、フィルタの濾過機能を低下させることはない。
【００１６】
なお、フィルタシート２１の長手方向の外周縁は、折り返した状態における内枠１３ａ，内枠１３ｂの折り返し方向の外周縁に対してやや外方に位置している。しかし、フィルタシート２１の外周縁は必ずしも内枠１３ｂの外周縁の外方ではなくてもその内方に位置しても良く、結局、内枠１３ｂの外周縁の近傍に位置すれば同様の効果を奏する。
【００１７】
図３は、図２で示したフィルタの取付け状態を示した斜視図である。
図を参照して、浅型のレンジフード２５の下面に、フィルタ１０のフィルタシート２１に対応する外方位置に面ファスナ２７が６箇所貼着されている。この状態でフィルタ１０をレンジフード２５の吸込口２６を覆うように取付ける。これによって、フィルタ１０のフィルタシート２１の周辺は面ファスナ２７によって固着されることになる。
【００１８】
図４は、図３の”Ｙ”の拡大図であり、図５は、図４における取付用金具の外観形状を示した斜視図である。
これらの図を参照して、取付用金具３１は、磁石３３が取付けられる断面コの字形状の本体部３２と、本体部３２に接続されるＴ字形状の胴部３４とから構成される。胴部３４には胴部３４の折り曲げを容易とする為の開口３５が形成され、胴部３４の本体部３２とは反対側の端部は差込み片３６となってその端が上方に傾斜している。
【００１９】
この取付用金具３１をフィルタ１０に取付ける場合には、まず胴部３４を内枠１３ａの切欠き１８ａの位置にセットする。そして、差込み片３６を内枠１３ａとフィルタシート２１との間に挿入すると共に、胴部３４は内枠１３ａの外方に位置させる。この状態で、取付用金具３１を切欠き１８ａに沿って内枠１３ａの外方向に移動させる。これによって、取付用金具３１は切欠き１８ａを介して１３ａに取付けられる。この状態では、取付用金具３１の磁石３３は上方に面している為、図３で示したように、レンジフード２５の下面の磁性面に取付用金具３１を固着することができる。このようにして、フィルタシート２１は面ファスナ２７のみならず、外枠１２及び内枠１３ａ，内枠１３ｂによってレンジフード２５の下面に押し付けられ、安定して取付けられることになる。
【００２０】
図６は取付用金具３１の取付け状態の変形例を示した図である。
図を参照して、取付用金具３１の本体部３２は開口３５の位置で胴部３４に対して直角方向に折り曲げられている。この状態で磁石３３は横方向に面することになる。このように取付用金具３１を変形させるのは、フィルタ１０を図３で示されている浅型のレンジフードではなく、深型のレンジフードにも取付ける場合を想定している。この場合、内枠１３ａの側面にレンジフードの磁性面がくるため、磁石３３の取付け方向を変える必要がある為である。この場合であっても、内枠１３ａに対する、取付用金具３１の取付け方法は図４で示したものと変わらず、使い勝手が良い。
【００２１】
図７は、図２で示したフィルタの使用状態の変形例を示した斜視図である。
図２においてＸ1 −Ｘ1 ラインとＸ2 −Ｘ2 ラインに示す部分から各々外方の、内枠１３ａ，内枠１３ｂの部分とフィルタシート２１の部分とを切断する。このようにして、フィルタシート２１の長手方向長さを取付け対象の長さに応じて二段階に調整することができる。この場合であっても、内枠１３ａには切欠き１７ａが形成され、内枠１３ｂには切欠き１７ｂが形成されている為、図４から図６で示したように取付け金具を用いて同様に外枠１２及び内枠１３ａ，内枠１３ｂを被取付け面に取付けることができる。
【００２２】
図８は、この発明の第２の実施の形態による枠体を示した図である。
図８の（１）に示されているように、矩形形状の紙製のシートを打ち抜いて形成された枠体１１の三辺に対応する位置の内方に匚字形状の切れ目１４が形成され、さらにその内方に矩形状の開口４１が形成されている。これによって、切れ目１４を境に、その外方が外枠１２となり、その内方が内枠１３となる。そして内枠１３は、接続部２２ａ，接続部２２ｂを介して外枠１２に対して折り曲げ自在に接続されることになる。尚開口４１の短辺であって接続部２２ａ，接続部２２ｂ側の部分に外方に向って入り込んだ凹み部４２ａ，凹み部４２ｂが形成されている。これは、図８の（２）に示されているように、内枠１３を接続部２２ａ，接続部２２ｂの位置において折り返した時に折り返し易くし、且つ折り返し位置をこのような凹み部４２ａ，凹み部４２ｂが形成されていない単なる丸みを帯びたコーナ部を有するものより、より外方の位置にするためである。これによって、枠体１１の横方向長さは、内枠１３を折り返す前の長さＷ1 に対して折り返された内枠１３の外縁までの長さ、すなわちＷ2 となり大幅にその長さが大きくなる。
【００２３】
図９は、この発明の第３の実施の形態による枠体１１の外観形状を示した図である。
図９の（１）に示されているように、枠体１１は矩形形状の紙製のシートを打ち抜いて形成されている。そしてその中心から角部の方向に矩形形状の開口４３ａ〜開口４３ｄが形成されており、またその各々において、各角部から中央に向って接続部４４ａ〜接続部４４ｄの各々を介して接続される、内枠１３ａ〜内枠１３ｄが形成されている。この状態から、内枠１３ａ〜内枠１３ｄの各々を接続部４４ａ〜接続部４４ｄの各々の位置において外方に折り曲げた状態を示したのが図９の（２）である。これによって、枠体１１の外縁位置は横方向がＷ1 からＷ2 に、高さ方向がＨ1 からＨ2 に拡大する。このような形に枠体を形成しても、先の実施の形態による枠体と同様に、フィルタを押える範囲を使用時に効率的に増加することができる。
【００２４】
尚、上記の実施の形態では、枠体１１を紙製又は紙の両面にアルミ泊を貼着したものを使用しているが、これに代えて合成樹脂板を打ち抜いて形成したり、合成樹脂の成形加工によって形成しても良い。このようにしても、合成樹脂の使用量を低減することができる。
【図面の簡単な説明】
【図１】この発明の第１の実施の形態によるフィルタの外観形状を示した斜視図である。
【図２】図１で示した状態から、内枠１３ａ，内枠１３ｂを外側に折り返したフィルタの状態を示した斜視図である。
【図３】図２で示したフィルタの取付け状態を示した斜視図である。
【図４】図３の”Ｙ”部分の拡大斜視図である。
【図５】図４で示した取付け用金具の構成を示した斜視図である。
【図６】図４で示した取付用金具３１の取付け状態の変形例を示した斜視図である。
【図７】図２で示したフィルタをその長手方向の長さを短くした状態を示した斜視図である。
【図８】この発明の第２の実施の形態による枠体の概略構造を示した図である。
【図９】この発明の第３の実施の形態による枠体の概略構造を示した図である。
【符号の説明】
１０・・・フィルタ
１１・・・枠体
１２・・・外枠
１３・・・内枠
２０・・・連結部
２１・・・フィルタシート
２２，２３・・・接続部
尚、各図中同一符号は同一又は相当部分を示す。
【図１】
0004171132.tif 000002
【図２】
0004171132.tif 000003
【図３】
0004171132.tif 000004
【図４】
0004171132.tif 000005
【図５】
0004171132.tif 000006
【図６】
0004171132.tif 000007
【図７】
0004171132.tif 000008
【図８】
0004171132.tif 000009
【図９】
0004171132.tif 000010